(57)【要約】【課題】通過させたくない箇所を、人力によるチェックなしで確実に排除し、迅速に仮想の迂回路を構成する。【解決手段】データベース６０には、回線シミュレーションにより候補となる得るパス１〜６（ｎ）のすべてに対し、最上位がどの箇所を通過しているかを予め箇所情報Ａ〜Ｋ（Ｘ、Ｙ）として付与して格納しておく。利用者が入力装置４０を通じて、通したくない箇所Ｇを中央演算処理装置２０に入力して、回線シミュレーションによる迂回路の構成を指示すると、中央演算処理装置２０は、入力された通したくない箇所の条件に従ってデータベース６０に格納されたデータから入力された箇所情報Ｇを有するパスを排除して迂回路を自動構成し、自動構成された迂回路が表示装置５０に表示される。【選択図】図５
2006324886.tif 000002
【特許請求の範囲】
【請求項１】
回線シミュレーションの候補となりうるパスに対し、予め箇所を特定する箇所情報を付与し、箇所情報を付与したパスのデータを格納するデータベースと、多数の箇所情報のうち、利用者が希望する箇所について所望の条件が入力される入力手段と、回線シミュレーションによる迂回路構成時、入力手段により入力された条件に基づき、箇所情報が付与された、迂回路の候補とされるパスに対し、入力された箇所を有するパスを検索し、入力された条件に基づいて対象となるパスを排除または選択して迂回路を構成する中央演算処理装置と、中央演算処理装置により構成された迂回路を表示する表示手段とを備えたことを特徴とする回線シミュレーションの迂回路構成システム。
【請求項２】
回線シミュレーションの候補となりうるパスに対し、予め箇所を特定する箇所情報を付与し、箇所情報を付与したパスのデータをデータベースに格納する第１のステップと、
多数の箇所情報のうち、利用者が希望する箇所について所望の条件を設定し、入力手段により中央演算処理装置に入力する第２のステップと、
第２のステップで入力された箇所と条件とに基づいて、中央演算処理装置による回線シミュレーションにより迂回路を構成する際、第１のステップで箇所情報が付与された、迂回路の候補とされるパスに対し、第２のステップで入力された箇所を有するパスを検索し、入力された条件に基づいて対象となるパスを排除または選択して迂回路を構成する第３のステップとを有することを特徴とする回線シミュレーションの迂回路構成方法。
【請求項３】
第２のステップで利用者が希望する箇所についての所望の条件を、利用者が通過を望まない非通過箇所とし、第３のステップでは、入力された非通過箇所の箇所情報を有するパスを排除し迂回路を構成するようにしたことを特徴とする請求項２に記載の回線シミュレーションの迂回路構成方法。
【請求項４】
第１のステップで、予めパスに対し、パス両端の設備ごとのチャンネル容量のデータと、チャンネルごとに使用、未使用、実装、未実装の別に区分したデータとを、箇所情報とともにデータベースに格納し、第２のステップで、利用者が希望する所望の条件を、未実装のチャンネルとし、第３のステップでは、入力された未実装のチャンネルについて、そのチャンネルに対応する箇所情報を有するパスを検索して選択し未実装のチャンネルに基づいて迂回路を構成するようにしたことを特徴とする請求項２または３に記載の回線シミュレーションの迂回路構成方法。
【請求項５】
パス両端の対向設備について、両者が実装と未実装との同期関係がとれていない場合、未実装とみなすようにしたことを特徴とする請求項４に記載の回線シミュレーションの迂回路構成方法。
【発明の詳細な説明】
【技術分野】
【０００１】
本発明は、回線の迂回路を構成する回線シミュレーションの迂回路構成システムおよびその方法に関するものである。
【背景技術】
【０００２】
一般に、新規回線のサービス提供や障害時における障害区間の迂回路確保のために、回線設計区間の起点局・終点局とサービス品目、運用開始日を指定し、空き回線の候補を抽出する自動検索が行われている。また、起点局のみを指定し空き候補回線と中継を順次指定して終点局までシミュレーションして行く半自動検索が行われている。また、設備情報としては、ＣＨシート（チャンネルシート）の実装管理を行い、実装で使用中、実装で未使用（空き）、未実装の管理を行っている。
【０００３】
従来、回線構成のシミュレーションを自動または半自動で行うのに、ユーザとの対話によりネットワークのシミュレーションを行うネットワーク管理装置が知られている。この装置では、例えば、ある端末から使用しているホストコンピュータまでの経路を知りたい場合、起点となる端末を指示し、検索の命令を入力すると、画面編集部が経路探索手段に対して起点となる端末に接続されている要素の探索を指示する。経路探索手段では、データベース管理部を介してネットワーク管理データベースからネットワークのデータを取り出し、起点から順次ネットワークの構成要素を探索してゆき、接続経路の情報を画面編集部に送る。画面編集部では、この接続経路の情報を基に表示処理部を介して表示装置に仮想の経路を表示するようになっている（特許文献１参照）。
【特許文献１】特開平６−１２４２５６号公報（第２−４頁、図１、図８）
【発明の開示】
【発明が解決しようとする課題】
【０００４】
しかしながら、係る従来の回線構成のシミュレーションでは、例えば、通過させたくない箇所があれば、迂回路を確保するために回線区間を設計する際、障害区間を除いた設計をする必要がある。また、既設回線の予備回線を設計する場合は既設回線と異なる個所を通過する回線として設計する必要がある。上記従来のシミュレーション機能では検索結果から利用者が正しく設計されているかどうかをこまめにチェックする必要がある。つまり、ある障害区間が存在する場合、ビューを見るか、図面でその存在を確認していた。チェックするには候補のパスの最上位がどの個所を通過しているかまで判断する必要がある。１区間毎にチェックしていては、膨大な時間がかかり、迅速な迂回路の確保や設計が出来ない。
また、ＣＨシートの実装管理は行っているが、空きの候補となるのは実装で未使用となるものだけで、未実装部分を対象としたシミュレーションは行えなかった。
【０００５】
本発明は、上記課題を解決するためになされたもので、簡素な構成で利用者が希望する条件の仮想迂回路を迅速かつ確実に回路構成することができる回線シミュレーションの迂回路構成システムおよびその方法を提供することを目的とするものである。
【課題を解決するための手段】
【０００６】
本発明に係る回線シミュレーションの迂回路構成システムは、回線シミュレーションの候補となりうるパスに対し、予め箇所を特定する箇所情報を付与し、箇所情報を付与したパスのデータを格納するデータベースと、多数の箇所情報のうち、利用者が希望する箇所について所望の条件が入力される入力手段と、回線シミュレーションによる迂回路構成時、入力手段により入力された条件に基づき、箇所情報が付与された、迂回路の候補とされるパスに対し、入力された箇所を有するパスを検索し、入力された条件に基づいて対象となるパスを排除または選択して迂回路を構成する中央演算処理装置と、中央演算処理装置により構成された迂回路を表示する表示手段とを備えたものである。
【０００７】
本発明に係る回線シミュレーションの迂回路構成システムでは、回線シミュレーションの候補となりうるパスに対し、予め箇所を特定する箇所情報を付与し、箇所情報を付与したパスのデータを格納するデータベースと、多数の箇所情報のうち、利用者が希望する箇所について所望の条件が入力される入力手段と、回線シミュレーションによる迂回路構成時、入力手段により入力された条件に基づき、箇所情報が付与された、迂回路の候補とされるパスに対し、入力された箇所を有するパスを検索し、入力された条件に基づいて対象となるパスを排除または選択して迂回路を構成する中央演算処理装置と、中央演算処理装置により構成された迂回路を表示する表示手段とを備えているので、データベースには、回線シミュレーションにより候補となる得るパスのすべてに対し、最上位がどの箇所を通過しているかを予め箇所情報として付与して格納されたデータバースから、利用者が入力手段を通じて、例えば通したくない箇所の箇所条件と排除の条件とを中央演算処理装置に入力して、回線シミュレーションによる迂回路の構成を指示すると、中央演算処理装置は、入力された通したくない箇所の条件と排除の条件に従ってデータベースに格納されたデータから入力された箇所情報を有するパスを排除して迂回路を自動構成し、自動構成された迂回路が表示手段に表示される。また、利用者が入力手段を通じて、例えば、通したい箇所を中央演算処理装置に入力して、回線シミュレーションによる迂回路の構成を指示すると、中央演算処理装置は、入力された通したい箇所の条件と選択の条件に従ってデータベースに格納されたデータから入力された箇所情報を有するパスを選択して迂回路を自動構成し、自動構成された迂回路が表示手段に表示される。すなわち、各中継設備に接続されるパスに、当該設備を備えていることを意味する箇所情報のデータを付与して、これらデータをデータベースに格納することにより、利用者の求めに応じて仮想の迂回路を回路構成する際、利用者が希望する条件に応じて、検索時に該当するパスを排除または選択して迂回路が構成される。
【０００８】
本発明に係る回線シミュレーションの迂回路構成方法は、回線シミュレーションの候補となりうるパスに対し、予め箇所を特定する箇所情報を付与し、箇所情報を付与したパスのデータをデータベースに格納する第１のステップと、多数の箇所情報のうち、利用者が希望する箇所について所望の条件を設定し、入力手段により中央演算処理装置に入力する第２のステップと、第２のステップで入力された箇所と条件とに基づいて、中央演算処理装置による回線シミュレーションにより迂回路を構成する際、第１のステップで箇所情報が付与された、迂回路の候補とされるパスに対し、第２のステップで入力された箇所を有するパスを検索し、入力された条件に基づいて対象となるパスを排除または選択して迂回路を構成する第３のステップとを有するようにしたものである。
【０００９】
本発明に係る回線シミュレーションの迂回路構成方法では、回線シミュレーションの候補となりうるパスに対し、予め箇所を特定する箇所情報を付与し、箇所情報を付与したパスのデータをデータベースに格納する第１のステップと、  多数の箇所情報のうち、利用者が希望する箇所について所望の条件を設定し、入力手段により中央演算処理装置に入力する第２のステップと、第２のステップで入力された箇所と条件とに基づいて、中央演算処理装置による回線シミュレーションにより迂回路を構成する際、第１のステップで箇所情報が付与された、迂回路の候補とされるパスに対し、第２のステップで入力された箇所を有するパスを検索し、入力された条件に基づいて対象となるパスを排除または選択して迂回路を構成する第３のステップとを有するようにしているので、第１のステップで、データベースに、回線シミュレーションの候補となりうるパスに対し、予め箇所を特定する箇所情報を付与し、付与されたデータを格納した後、第２のステップで、利用者が、多数の箇所情報のうちから希望する所望の条件を決定して入力手段により中央演算処理装置に入力すると、第３のステップで、中央演算処理装置は、入力された箇所の条件と排除または選択の条件に従って、すなわち、ある箇所について排除するかまたはその箇所を選択するかの条件に従って、データベースに格納されたデータから入力された箇所情報を有するパスを検索し、対象となるパスを排除または選択して迂回路を自動構成する。自動構成された迂回路は表示手段に表示される。
【００１０】
また、請求項３に係る回線シミュレーションの迂回路構成方法は、第２のステップで利用者が希望する箇所についての所望の条件を、利用者が通過を望まない非通過箇所とし、第３のステップでは、入力された非通過箇所の箇所情報を有するパスを排除し迂回路を構成するようにしたものである。
【００１１】
請求項３に係る回線シミュレーションの迂回路構成方法では、第２のステップで利用者が希望する箇所についての所望の条件を、利用者が通過を望まない非通過箇所とし、第３のステップでは、入力された非通過箇所の箇所情報を有するパスを排除し迂回路を構成するようにしているので、故障区間を指定したり、何らかの理由で通過させたくない箇所が存在する場合、その箇所を指定したりするだけで、仮想の迂回路を回路構成することができる。このため、利用者が候補のパスが最上位のどの箇所を通過しているかまでを判断する必要がなくなり、正しい設計かどうかのチェックをする必要がなくなるので、迂回路の確保や設計が確実に行われるとともに迅速化される。従って、故障区間発生時など緊急に迂回路の回路構成が求められても、直ちに対応することができる。
【００１２】
さらに、請求項４に係る回線シミュレーションの迂回路構成方法は、第１のステップで、予めパスに対し、パス両端の設備ごとのチャンネル容量のデータと、チャンネルごとに使用、未使用、実装、未実装の別に区分したデータとを、箇所情報とともにデータベースに格納し、第２のステップで、利用者が希望する所望の条件を、未実装のチャンネルとし、第３のステップでは、入力された未実装のチャンネルについて、そのチャンネルに対応する箇所情報を有するパスを検索して選択し未実装のチャンネルに基づいて迂回路を構成するようにしたものである。
【００１３】
請求項４に係る回線シミュレーションの迂回路構成方法では、第１のステップで、予めパスに対し、パス両端の設備ごとのチャンネル容量のデータと、チャンネルごとに使用、未使用、実装、未実装の別に区分したデータとを、箇所情報とともにデータベースに格納し、第２のステップで、利用者が希望する所望の条件を、未実装のチャンネルとし、第３のステップでは、入力された未実装のチャンネルについて、そのチャンネルに対応する箇所情報を有するパスを検索して選択し未実装のチャンネルに基づいて迂回路を構成するようにしているので、従来のＣＨシートの実装管理では、空きの候補となるのは実装で未使用のチャンネルしか迂回路の構成を行うことができなかったのに対し、シートが未実装のＣＨ（チャンネル）も検索対象の候補になるようにしている。このため、ＣＨシートを実装しさえすれば迂回路を構築できると判断できるため、幅広い候補からの選択が可能となり設計の自由度が向上する。
【００１４】
請求項５に係る回線シミュレーションの迂回路構成方法は、パス両端の対向設備について、両者が実装と未実装との同期関係がとれていない場合、未実装とみなすようにしたものである。
【００１５】
請求項５に係る回線シミュレーションの迂回路構成方法では、パス両端の対向設備について、両者が実装と未実装との同期関係がとれていない場合、未実装とみなすようにしたので、チャンネルの実装を確実に管理することができ、チャンネルシートを実装すれば迂回路の構築が判断でき、幅広い候補からの選択が可能となる。
【発明の効果】
【００１６】
本発明に係る回線シミュレーションの迂回路構成システムは、回線シミュレーションの候補となりうるパスに対し、予め箇所を特定する箇所情報を付与し、箇所情報を付与したパスのデータを格納するデータベースと、多数の箇所情報のうち、利用者が希望する箇所について所望の条件が入力される入力手段と、回線シミュレーションによる迂回路構成時、入力手段により入力された条件に基づき、箇所情報が付与された、迂回路の候補とされるパスに対し、入力された箇所を有するパスを検索し、入力された条件に基づいて対象となるパスを排除または選択して迂回路を構成する中央演算処理装置と、中央演算処理装置により構成された迂回路を表示する表示手段とを備えるようにしているので、利用者が希望する条件の仮想の迂回路を迅速かつ確実に回路構成して表示することができる。
【００１７】
本発明に係る回線シミュレーションの迂回路構成方法は、回線シミュレーションの候補となりうるパスに対し、予め箇所を特定する箇所情報を付与し、箇所情報を付与したパスのデータをデータベースに格納する第１のステップと、多数の箇所情報のうち、利用者が希望する箇所について所望の条件を設定し、入力手段により中央演算処理装置に入力する第２のステップと、第２のステップで入力された箇所と条件とに基づいて、中央演算処理装置による回線シミュレーションにより迂回路を構成する際、第１のステップで箇所情報が付与された、迂回路の候補とされるパスに対し、第２のステップで入力された箇所を有するパスを検索し、入力された条件に基づいて対象となるパスを排除または選択して迂回路を構成する第３のステップとを有するようにしているので、データベースにパスの箇所情報が付与されたデータが格納されさえすれば、利用者が希望する条件の仮想の迂回路を迅速かつ自在に回路構成して表示することができる。また、回路構成された迂回路についてチェックする必要がなく、迂回路設計の効率化をはかることができる。
【発明を実施するための最良の形態】
【００１８】
利用者が希望する箇所について通過非通過の条件を満たす仮想の迂回路を迅速かつ確実に検索して回路構成するという目的を、回線シミュレーションの候補となるパスに対して箇所情報を付与してそのデータをデータベースに格納し、利用者の求める仮想の迂回路を回路構成する際、利用者が希望する条件に応じて、検索時に該当するパスを排除または選択して迂回路を構成することにより実現した。
【実施例１】
【００１９】
以下、図面に示す実施例により本発明を説明する。図１は本発明の一実施例に係る回線シミュレーションの迂回路構成システムの概略説明図であり、図２は回線ネットワークの一例を示す説明図である。本実施例に係る回線シミュレーションの迂回路構成システムは、図１に示すように、キーボードやマウス等の入力装置（入力手段）４０と、ＣＲＴ画面に表示するとともに必要に応じてプリンタによりプリントする表示装置（表示手段）５０と、回線（伝送路、パス）情報、設備情報（チャンネル（以下、ＣＨと称す）情報、実装又は未実装の情報、パスが使用中か空きかのパスの空き情報）、箇所情報（設備設置場所情報）等の回線シミュレーションに必要なデータが予め格納されたデータベース６０と、これらの入力装置４０と表示装置５０を制御して処理を実行するコンピュータ２０、３０とを備えたコンピュータシステムにより構成される。コンピュータ２０、３０は中央演算処理装置２０と、制御プログラムが書き込まれたメインメモリ３０とを備えている。データベース６０には、格納されたデータを管理するデータベース管理システムが含まれる。
【００２０】
ところで、本実施例に係る迂回路構成システムでは、従来のシステムが、データベースに格納される回線データ、設備データおよび設備の設置場所データをそれぞれ、固有の各自のデータとして独立に付与するようにしているのに対し、各単位のパス（回線）に、予め当該パス両端が接続される設置場所を有するという情報を関連させて付与するようになっている。すなわち、図２に示すように、符号Ａ〜Ｅはそれぞれ設備設置場所を示し、符号（１）〜（６）はそれぞれのパスの上位構成（実際のルート、太い実線で表示）の区間を示すとすると、例えば、図３に示されるように、設備設置場所Ａ、Ｂ間の上位構成のパス（１）：（Ａ）−（Ｂ）は、各単位毎のパス１：（Ａ）−（Ｇ）とパス１：（Ｇ）−（Ｂ）との２区間で構成される。各単位毎のパスは図３に示すように、細い実線で示す。その場合の構成例は図４のイメージである。従って、図３に示すように、１単位のパス１：（Ａ）−（Ｇ）については、両端の設備設置場所情報ＡおよびＧを関連付けて付与するようにしている。
【００２１】
同様に、パス１：（Ｇ）−（Ｂ）については両端の設備設置場所情報ＧおよびＢを関連付けて付与している。このように、例えば、上位構成のパス（５）については、各単位毎に、パス５：（Ｃ）−（Ｇ）については両端の設備設置場所情報ＣおよびＧを、パス５：（Ｇ）−（Ｈ）については両端の設備設置場所情報ＧおよびＨを、パス５：（Ｈ）−（Ｄ）については両端の設備設置場所情報ＨおよびＤを、それぞれ関連させて付与するようにしている。なお、図３についてもそれぞれのパスの上位構成（実際のルート）（１）〜（５）は太い実線で示されている区間とする。データベース６０には、このように、予め各単位のパスｎ：（Ｘ）−（Ｙ）（ｎは上位構成のパスに相当する任意の整数、Ｘ、Ｙはパスｎの両端の設備設置場所である。）に、当該パスｎ：（Ｘ）−（Ｙ）の両端が接続される設置場所Ｘ、Ｙを有するという情報を関連させて付与されたデータが格納されるようになっている。
【００２２】
中央演算処理装置２０とメインメモリ３０に格納された制御プログラムは、例えば、利用者が設備設置場所Ａ、Ｂ間での迂回路の構成の回線シミュレーションを行う場合、パス候補としては、まず、図２に示すように、(i)パス（１）：（Ａ）−（Ｂ）間の直接ルート、(ii)パス（２）：（Ａ）−（Ｅ）およびパス（３）：（Ｅ）−（Ｂ）の１中継２スパンのルート、(iii)パス（４）：（Ａ）−（Ｃ）、パス（５）：（Ｃ）−（Ｄ）およびパス（６）：（Ｄ）−（Ｂ）の２中継３スパンのルートを抽出して候補とする。続いて、利用者が、設備設置場所Ａ、Ｂ間で、しかも、設備設置場所Ｇについて、通過を望まない非通過箇所（例えば、障害箇所、工事予定箇所）としたい場合、利用者が入力装置４０により、設備設置場所Ａ、Ｂ間での迂回路の構成の回線シミュレーションを指定し、かつ、設備設置場所Ｇについて非通過箇所として条件を指定すると、中央演算処理装置２０とメインメモリ３０に格納された制御プログラムは、データベース６０にアクセスし、図５に示すように、その入力された設備設置場所Ｇの箇所情報を有するパス１：（Ａ）−（Ｇ）、パス１：（Ｇ）−（Ｂ）、パス５：（Ｃ）−（Ｇ）、パス５：（Ｇ）−（Ｈ）を迂回路の候補から除外して検索を行うようになっている。
【００２３】
すなわち、図５に示すように、単位毎のパスのうち箇所情報Ｇを有するパスが迂回路の候補から排除されれば、上位構成の回線であるパス（１）：（Ａ）−（Ｂ）およびパス（５）：（Ｃ）−（Ｄ）の回線（それぞれ図５中、破線で示す。）については、構成されるべき迂回路の候補から排除されるようになっている。このため、図５に示すネットワーク回線の場合、コンピュータ２０、３０およびデータベース６０により、パス（２）：（Ａ）−（Ｅ）およびパス（３）：（Ｅ）−（Ｂ）の１中継２スパンの迂回路が構成されるようになっている。このとき、単位毎のパスは、パス２：（Ａ）−（Ｊ）…パス２：（Ｊ）−（Ｅ）…パス３：（Ｅ）−（Ｋ）…パス３：（Ｋ）−（Ｂ）が候補として抽出される。なお、パス（４）：（Ａ）−（Ｃ）については設備設置場所Ｃから先の候補がないため成立しない。表示装置５０は、コンピュータ２０、３０により構成された迂回路の候補「パス（２）：（Ａ）−（Ｅ）、パス（３）：（Ｅ）−（Ｂ）」を画面に表示したりプリンタで印刷するようになっている。
【００２４】
また、中央演算処理装置２０とメインメモリ３０に格納された制御プログラムは、例えば、利用者が設備設置場所Ａ、Ｂ間で、しかも、設備設置場所Ｇについて、通過を希望する通過指定箇所としたい場合、利用者が入力装置４０により、設備設置場所Ａ、Ｂ間での迂回路の構成の回線シミュレーションを指定し、かつ、設備設置場所Ｇについて通過指定箇所として指定すると、その入力された設備設置場所Ｇの箇所情報を有する「パス（１）：（Ａ）−（Ｂ）」または「パス（４）：（Ａ）−（Ｃ）、パス（５）：（Ｃ）−（Ｄ）、パス（６）：（Ｄ）−（Ｂ）」を多数の候補から優先して選択するようになっている。
【００２５】
次に、本発明に係る回線シミュレーションの迂回路構成方法について、上記実施例に係る迂回路構成システムの作用に基づいて説明する。本発明に係る回線シミュレーションの迂回路構成方法では、予め、各単位毎のパスｎ：（Ｘ）−（Ｙ）に、当該パスｎ：（Ｘ）−（Ｙ）の両端が接続される設置場所Ｘ、Ｙを有するという情報を関連させて付与しておく（第１のステップＳ１、図６参照）。次に、利用者が、設備設置場所Ａ、Ｂ間で、しかも、設備設置場所Ｇについて、通過を望まない非通過箇所（例えば、障害箇所、工事予定箇所）としたい場合、利用者が入力装置４０により、まず設備設置場所Ａ、Ｂ間での迂回路の構成の回線シミュレーションを指定すると（第２のステップＳ２）、コンピュータ２０、３０はデータベース６０にアクセスし、パス候補として、図２に示すように、(i)パス（１）：（Ａ）−（Ｂ）間の直接ルート、(ii)パス（２）：（Ａ）−（Ｅ）およびパス（３）：（Ｅ）−（Ｂ）の１中継２スパンのルート、(iii)パス（４）：（Ａ）−（Ｃ）、パス（５）：（Ｃ）−（Ｄ）およびパス（６）：（Ｄ）−（Ｂ）の２中継３スパンのルートを抽出して候補とする。そして、さらに、利用者が、ある設備設置場所、例えば、設備設置場所Ｇについて非通過箇所として条件を指定すると（第２のステップＳ２）、コンピュータ２０、３０は、図５に示すように、その入力された設備設置場所Ｇの箇所情報を有するパス１：（Ａ）−（Ｇ）、パス１：（Ｇ）−（Ｂ）、パス５：（Ｃ）−（Ｇ）、パス５：（Ｇ）−（Ｈ）を迂回路の候補から除外して検索を行い、仮想の迂回路の候補「パス（２）：（Ａ）−（Ｅ）、パス（３）：（Ｅ）−（Ｂ）」を抽出し、この候補を表示装置５０に表示させる（ステップＳ３、図６参照）。なお、非通過箇所の指定については、箇所を個別に指定するやり方だけでなく既設の回線を指定するやり方があることはいうまでもない。
【００２６】
また、利用者が、ある設備設置場所間で、ある設置箇所を通過させたい場合、例えば、設備設置場所Ａ、Ｂ間で、しかも、設備設置場所Ｇについて、通過を望む通過指定箇所としたい場合、利用者が設備設置場所Ｇについて通過指定箇所として条件を指定すると、その入力された設備設置場所Ｇの箇所情報を有する「パス（１）：（Ａ）−（Ｂ）」または「パス（４）：（Ａ）−（Ｃ）、パス（５）：（Ｃ）−（Ｄ）、パス（６）：（Ｄ）−（Ｂ）」を多数の候補から優先して選択し迂回路の候補を抽出するようになっている。このため、既設回線の予備回線を設計する場合、既設回線と異なる個所を通過する回線として設計することが迅速かつ確実にできる。このように上記実施例に係る回線シミュレーションの迂回路構成システムおよびその方法では、利用者が希望の条件を指定するだけで、例えば、故障区間を指定したり、何らかの理由で通過させたくない箇所が存在する場合、その箇所を指定したりするだけで、仮想の迂回路を迅速かつ確実に回路構成して表示することができる。また、利用者が候補のパスが最上位のどの箇所を通過しているかまでを判断する必要がなくなり、正しい設計かどうかのチェックをする必要がなくなるので、迂回路の確保や設計が確実に行われるとともに迅速化される。従って、故障区間発生時など緊急に迂回路の回路構成が求められても、直ちに対応することができる。また、上位構成（実際のルート）の通過箇所については、検索の都度上位展開させてもよいが、夜間バッチ（夜間一括処理）により事前に抽出しておき、処理の高速化を図るようにすることが好ましい。
【実施例２】
【００２７】
次に、上記回線シミュレーションの迂回路構成システムおよびその方法の他の変形例について説明する。この変形例に係る回線シミュレーションの迂回路構成システムでは、パスｎに対し両端が接続される設置場所の情報を関連させて付与するのに加え、図７の（Ａ）、（Ｂ）に示すように、各単位毎のパスｎ両端の対向する設備Ｆｘ、Ｆｙについて、設備毎のＣＨ容量のデータと、ＣＨ毎に使用、未使用の別および実装、未実装の別に分類したデータとを、箇所情報とともにデータベース６０に格納するようにしている。そして、コンピュータ２０、３０は、入力装置４０により利用者が希望する所望の条件を、例えば、未実装のＣＨを希望の条件として入力すると、そのＣＨに対応する箇所情報を有するパスを検索して選択し未実装のＣＨに基づいて迂回路を構成するようになっている（図７の（Ａ）参照）。
【００２８】
また、この変形例では、パスｎ両端の対向設備Ｆｘ、Ｆｙについて、両者が実装と未実装との同期関係がとれていない場合（図７の（Ａ）に示す場合）、未実装とみなすようにしている（図７の（Ｂ）参照）。係る構成とすることにより、回線シミュレーションを行うと、従来のシステムでは、実装かつ空き回線を選択の対象とするのに対し、この変形例に係る迂回路構成システムでは、「未実装」を検索条件に指定することにより、「未実装」のＣＨも候補として検索し抽出することができる。このため、対向する設備のＣＨ使用状況をパスに置き換えて管理することができ、設備毎のＣＨ容量を管理することでシートが未実装のＣＨも検索の候補になるようにしている。このようにＣＨシートを実装すれば迂回路を構築できることが判断できるので、幅広い候補からの選択が可能になる。また、上記設備Ｆｘ、Ｆｙの情報を、パス毎に夜間バッチで生成し、検索を行うようにしてもよい。例えば、夜間バッチでは、図７の（Ａ）、（Ｂ）に示すパスの空きＣＨは１、未実装ＣＨを２として生成する。このように、最上位の通過箇所を前日の夜間に調査しておくことで、検索の高速化が実現される。このように上記変形例に係る回線シミュレーションの迂回路構成システムおよびその方法では、利用者が希望の条件を、例えば、「未実装」を検索条件に指定することにより、「未実装」のＣＨも候補として検索し抽出することができ、仮想の迂回路を迅速かつ確実に回路構成して表示することができる。
【図面の簡単な説明】
【００２９】
【図１】本発明の一実施例に係る回線シミュレーションの迂回路構成システムの概略説明図である。（実施例１）
【図２】回線ネットワークの一例を示す説明図である。
【図３】図１の迂回路構成システムを用いて回線の構成を行う際のパスの説明図である。
【図４】単位毎のパスの構成例をイメージで示す説明図である。
【図５】図１の迂回路構成システムを用いて回線の構成を行う際、非通過箇所を指定したときの説明図である。
【図６】図１の迂回路構成システムにより迂回路を構成する際の手順を示すフローである。
【図７】（Ａ）、（Ｂ）はそれぞれ本発明の変形例に係る迂回路構成システムにおいて、未実装を指定して選択したときの説明図である。（実施例２）
【符号の説明】
【００３０】
１〜６（ｎ）  パス
Ａ〜Ｋ（Ｘ、Ｙ）  箇所情報
２０  中央演算処理装置
４０  入力装置（入力手段）
５０  表示装置（表示手段）
６０  データベース
【図１】
2006324886.tif 000003
【図２】
2006324886.tif 000004
【図３】
2006324886.tif 000005
【図４】
2006324886.tif 000006
【図５】
2006324886.tif 000007
【図６】
2006324886.tif 000008
【図７】
2006324886.tif 000009